(57)【特許請求の範囲】
【請求項１】
外部から送り込まれた供給空気で被空調空間（Ｓ）の空気を誘引混合してその混合空気を前記被空調空間（Ｓ）へ吹出す本体（１）内に、空気噴出口（４）と、誘引口（５）と、混合空気吹出風路（６）と、誘引風路（７）と、を設け、
前記本体（１）内の前記空気噴出口（４）の風上に、環状の間隔部（２）を形成し、この間隔部（２）の周方向へ前記供給空気が送り込まれるように送気口（３）を、設け、
前記供給空気を噴出する円弧状の前記空気噴出口（４）を、前記間隔部（２）に沿って環状となるように複数配置し、
前記空気噴出口（４）の風下に、円弧状の前記誘引口（５）を、前記空気噴出口（４）から噴出する前記供給空気が吹き込まれることで前記被空調空間（Ｓ）の空気を誘引するように前記空気噴出口（４）毎に配置して、隣り合う前記誘引口（５）と前記誘引口（５）の周方向端部の間に前記誘引空気を径方向に横切らせて前記誘引口（５）の全周に周り込ませる誘導案内路（１９）を、設け、
前記誘引口（５）の風下に、前記供給空気と前記誘引空気の前記混合空気を前記被空調空間（Ｓ）へ誘導案内する前記混合空気吹出風路（６）を、風上から風下に向かって拡大する環状に形成し、前記誘引空気を前記被空調空間（Ｓ）から前記誘引口（５）へ誘導案内する前記誘引風路（７）を、前記混合空気吹出風路（６）の外周に沿って環状に形成したことを特徴とする誘引吹出口。
【請求項２】
本体（１）を、間隔部（２）を有する供給空気導入部（８）と、空気噴出口（４）と誘引口（５）と混合空気吹出風路（６）と誘引風路（７）とを有する吹出部（９）と、により構成し、前記供給空気導入部（８）に対して前記吹出部（９）を、前記空気噴出口（４）及び前記誘引口（５）の周方向位置を変更自在として連通連結した請求項１記載の誘引吹出口。
【請求項３】
供給空気導入部（８）の風下開口部と、吹出部（９）の風上開口部を、空気噴出口（４）及び誘引口（５）の軸方向及び周方向へ摺動自在に形成して嵌合し、前記供給空気導入部（８）の軸心部と、前記吹出部（９）の軸心部を、ボルトナット部材（１０）にて螺進退自在に連結した請求項２記載の誘引吹出口。
【請求項４】
混合空気吹出風路（６）に、被空調空間（Ｓ）へ混合空気を渦巻き状にして誘導案内するガイド部（２０）を、設けた請求項１、２又は３記載の誘引吹出口。
【発明の詳細な説明】
【技術分野】
【０００１】
本発明は誘引吹出口に関するものである。
【背景技術】
【０００２】
送風動力削減を目的として、空調機からの供給空気を通常よりも低温、少風量化して室内などの被空調空間に設けた吹出口から給気し、空調を行う低温送風空調システムがある。この空調システムに、一般的なふく流吹出口を用いると、供給空気が低温少風量のために、気流が拡散せずコールドドラフトと結露が発生する。
【０００３】
【特許文献１】実開平７−４１３４５号公報
【発明の開示】
【発明が解決しようとする課題】
【０００４】
これを防ぐために特許文献１のようなの吹出口が提案されている。この吹出口には、拡散性の低下を防ぐために旋回羽根を設けているが、構造が複雑で圧力損失が大きく騒音発生の問題がある。さらに、吹出口の最下面である室内開口部で室内空気を誘引するので吹出口内部で結露が発生する。そのため吹出口全体の断熱処理が必要となる。しかも、低温の供給空気と誘引空気は偏って混合されるためにドラフトが発生しやすくなる。
【課題を解決するための手段】
【０００５】
本発明は上記課題を解決するため、外部から送り込まれた供給空気で被空調空間の空気を誘引混合してその混合空気を前記被空調空間へ吹出す本体を、備え、この本体内に、前記供給空気を噴出する空気噴出口を、環状に複数分割配置し、前記空気噴出口の風下に、誘引口を、前記空気噴出口から噴出する前記供給空気が吹き込まれることで前記被空調空間の空気を誘引するように前記空気噴出口毎に分割配置して、前記誘引口と前記誘引口の間に前記誘引空気を前記誘引口の全周に周り込ませる誘導案内路を、設け、前記誘引口の風下に、前記供給空気と前記誘引空気の前記混合空気を前記被空調空間へ誘導案内する混合空気吹出風路を、形成し、前記誘引空気を前記被空調空間から前記誘引口へ誘導案内する誘引風路を、形成したことを最も主要な特徴とする。
【発明の効果】
【０００６】
請求項１の発明によれば、
（１）本体内部で低温の供給空気とそれよりも高温の誘引空気を混合して吹出すので空気噴出口より風下での結露発生を防止できる。そのため、誘引口と混合空気吹出風路の断熱が不要となって断熱処理範囲が少なくて済み、製作が容易となる。
（２）誘引空気を誘引口の全周から誘引できるので圧力損失が少なく、供給空気風量に対する誘引空気の風量（混合比）を多く確保できる。そのため、混合空気の吹出風量の増加を図れて、拡散性が良好となり温度ムラがなくなる。
（３）空気噴出口及び誘引口を環状（周方向）に分割しているので静圧が小さくなって気流到達距離が延び拡散性が良好となる。
（４）本体の間隔部に沿って供給空気が渦巻き状に旋回して全周に行き渡るので、混合空気を被空調空間に均等に吹出すことができ拡散性が低下しない。簡単な構造でコンパクト化を図れてスペースをとらず、圧力損失が少なく乱流を防止してスムースに吹出しでき、低騒音となる。
（５）被空調空間の間取りやスペースに応じて、空気噴出口及び誘引口の分割数を変更するだけで簡単に、２方向、３方向、４方向など自由に吹き出し方向を選択できる。
（６）本体の径方向外方から空気を誘引して、本体の径方向内方から吹出すので、コアンダ効果による天井面の汚れが発生しない。そのため、天井面が美しくメンテナンスフリーとなる。
【０００８】
請求項２の発明によれば、
（１）空気噴出口及び誘引口の周方向位置を変更することで簡単に、被空調空間の熱負荷分布に応じた気流分布を自由に設定でき、空調効率が良くなり快適性が向上する。
【０００９】
請求項３の発明によれば、
（１）ボルトナット部材を螺進退させるだけで簡単に、吹出部の軸方向位置調節と周方向位置調節ができる。たとえば、天井板と吹出部の隙間調節や吹出方向の調節に兼用できる。
【００１０】
請求項４の発明によれば、
（１）混合空気を渦巻き状に旋回させて被空調空間に吹出すのを促進でき、拡散性が向上する。
【実施例】
【００１１】
図１〜図５は、本発明の誘引吹出口の一実施例を示しており、この誘引吹出口は、外部から送り込まれた供給空気で被空調空間Ｓの空気を誘引混合してその混合空気を被空調空間Ｓへ吹出す本体１を、備えている。本体１は、間隔部２を有する供給空気導入部８と、空気噴出口４と誘引口５と混合空気吹出風路６と誘引風路７とを有する吹出部９と、で構成する。被空調空間Ｓは、オフィスビルや病院、ホテルなどの各種建物の室内やホールなどの空間である。この被空調空間Ｓの天井等に誘引吹出口を設ける。誘引吹出口には、図示省略の空調機からダクト等を介して調和用空気等が供給される。なお、各図における点線の太矢印は風向を示す。
【００１２】
本体１内の風上側には環状の間隔部２を形成する。この間隔部２の周方向へ供給空気が送り込まれるように送気口３を、設ける。間隔部２の軸方向の風下には、通過断面積を減少させ風速を高めて供給空気を噴出する空気噴出口４を、間隔部２に沿ってその周方向に複数分割配置する。即ち、本体１内に空気噴出口４を環状に複数分割配置し、本体１内の空気噴出口４の風上に、空気噴出口４に沿って環状の間隔部２を形成する。空気噴出口４の風下には、誘引口５を、空気噴出口４から噴出する供給空気が吹き込まれることで被空調空間の空気を誘引するように空気噴出口４毎に分割配置して、隣り合う誘引口５と誘引口５の周方向端部の間に誘引空気を径方向に横切らせて誘引口５の全周に周り込ませる誘導案内路１９を、設ける。誘引口５の風下には、供給空気と誘引空気の混合空気を被空調空間Ｓへ誘導案内する混合空気吹出風路６を、風上から風下に向かって拡大する丸形の環状に形成し、誘引空気を被空調空間Ｓから誘引口５へ誘導案内する誘引風路７を、混合空気吹出風路６の外周に沿って環状に形成する。混合空気吹出風路６には、被空調空間Ｓへ混合空気を渦巻き状にして誘導案内するガイド部２０を、設ける。なお、本発明において環状とはリング状、筒状、フレア状など各種形状を全て含むものとする。
【００１３】
吹出部９は、被空調空間Ｓ側が開口する笠状の外壁体１１及び内壁体１２と、笠状の胴体１３と、を有している。胴体１３は内壁体１２の内部に所定間隔を隔てて設け、内壁体１２は外壁体１１の内部に所定間隔を隔てて設ける。この外壁体１１の内面と内壁体１２の外面にて誘引風路７を形成し、内壁体１２の内面と胴体１３の外面にて混合空気吹出風路６を形成する。混合空気吹出風路６のガイド部２０は、胴体１３の外面に複数の凸条を渦巻き状に形成して成る。外壁体１１と内壁体１２と胴体１３はボルトナット等の連結部材１８で着脱自在に連結する。混合空気吹出風路６の風上部は本体１の軸方向内方に設けて風路を長くする。胴体１３の内部には、照明器具１４又は／及び被空調空間Ｓの人体を検出して信号を出力する検出器１５を設ける。この検出器１５の信号に応じて吹出風量と照明器具調光の一方又は両方を制御するように構成する。図例では胴体１３は中空状となっているが、被空調空間Ｓ側を開口させた構造とするも自由で、ガイド部２０は、内壁体１２の内面又は／及び胴体１３の外面に設けても良い。また、ガイド部２０、混合空気吹出風路６と誘引風路７の構成、構造の変更は自由であり、図例に限定されるものではない。
【００１４】
供給空気導入部８は、被空調空間Ｓ側が開口する筐体１６と、有底筒状の仕切体１７と、送気口３と、を有している。仕切体１７は筐体１６の内部に所定間隔を隔てて設ける。この筐体１６の内面と仕切体１７の外面にて間隔部２を形成する。送気口３は筐体１６に、間隔部２の周方向へ供給空気が螺旋状に流れるように内接線状に設ける。この供給空気導入部８に対して吹出部９を、空気噴出口４及び誘引口５の周方向位置を変更自在として連通連結し、供給空気導入部８と吹出部９を固定する固定具Ｒを、設ける。固定具Ｒはボルトナット部材１０とし、供給空気導入部８の風下開口部と、吹出部９の風上開口部を、空気噴出口４及び誘引口５の軸方向及び周方向へ摺動自在に形成して嵌合し、供給空気導入部８の軸心部と、吹出部９の軸心部を、ボルトナット部材１０にて螺進退自在に連結する。供給空気導入部８は天井内等に吊下げ固定し、ボルトナット部材１０により吹出部９と天井板との隙間Ｈの調節と、空気噴出口４及び誘引口５の周方向位置調節と、を行う。
【００１５】
図例では供給空気導入部８の筐体１６の開口部に、吹出部９の外壁体１１の一部を風上側へ突出させて摺動自在に外嵌し、供給空気導入部８の仕切体１７と内壁体１２とを固定具Ｒで連結しているが、仕切体１７と外壁体１１を固定具Ｒで連結してもよく、その構成、構造の変更は自由であり、図例に限定されるものではない。また、供給空気導入部８の内周面は丸形となっているが多角形でも良く、固定具Ｒはボルトナット部材１０以外の機構や構造、構成のものであっても良い。
【００１６】
この供給空気導入部８に送り込まれた供給空気は、間隔部２に沿って回りながら拡散して空気噴出口４を通過し、誘引口５に向かって噴出する。その際、空気噴出口４と誘引口５との間隙部が負圧となって、被空調空間Ｓの空気を誘引風路７を介して誘引する。誘引空気は誘導案内路１９を介して周り込み誘引口５の全周から吸込まれて供給空気と混合する。そのため混合空気吹出風量に対する供給空気風量：誘引空気風量の比率を例えば６：４のように多くできる。混合空気は、混合空気吹出風路６を通り被空調空間Ｓに向かって４方向に吹出す。例えば、冷房時、混合空気吹出風路６では１３℃の低温の供給空気と、それよりも高温の２７℃の誘引空気を混合するので結露は生じない。なお、供給空気は誘引混合された時点で被空調空間Ｓの露点温度より高温で絶対湿度が低くなるように設定するが変更は自由である。
【００１７】
なお、本発明は上述の実施例に限定されず、本発明の要旨を逸脱しない範囲で設計変更自由である。例えば、空気噴出口４と誘引口５の分割数の増減は自由で、図６は３分割、図７は２分割した例を示している。図８は、空気噴出口４を、間隔部２に沿ってその周方向の一部に配置（即ち、本体１内に、空気噴出口４を、環状の一部に複数分割配置し、本体１内の空気噴出口４の風上に、環状の間隔部２を形成）し、空気噴出口４の風下に、誘引口５を、空気噴出口４から噴出する供給空気が吹き込まれることで被空調空間Ｓの空気を誘引するように空気噴出口４に沿って配置して、誘引口５の周方向両端部の間に誘引空気を誘引口５の全周に周り込ませる誘導案内路１９を、設けた例を示している。さらに、図９に示すように、誘引風路７及び混合空気吹出風路６は、風上から風下に向かって拡大する四角を含む多角形の環状に形成しても良い。また、ガイド部２０を省略するも自由である。
【図面の簡単な説明】
【００１８】
【図１】誘引吹出口を供給空気導入部側から見た全体図である。
【図２】図１のＡ−Ａ断面図である。
【図３】図２のＢ−Ｂ断面図である。
【図４】吹出部側から見た全体図である。
【図５】一部を省略した供給空気導入部側から見た胴体の全体図である。
【図６】一部を省略した吹出部の変形例を示す断面図である。
【図７】一部を省略した吹出部の他の変形例を示す断面図である。
【図８】一部を省略した吹出部の別の変形例を示す断面図である。
【図９】他の変形例を示す吹出部側から見た全体図である。
【符号の説明】
【００１９】
１    本体
２    間隔部
３    送気口
４    空気噴出口
５    誘引口
６    混合空気吹出風路
７    誘引風路
８    供給空気導入部
９    吹出部
１０  ボルトナット部材
１９  誘導案内路
２０  ガイド部
Ｓ    被空調空間
【図１】
0005351111.tif 000002
【図２】
0005351111.tif 000003
【図３】
0005351111.tif 000004
【図４】
0005351111.tif 000005
【図５】
0005351111.tif 000006
【図６】
0005351111.tif 000007
【図７】
0005351111.tif 000008
【図８】
0005351111.tif 000009
【図９】
0005351111.tif 000010